(57)【特許請求の範囲】
【請求項１】
外装面を構成する外装材にて形成される突状部に固定する取付部材であって、
凹部又は凸部を有する第１部材と凸部又は凹部を有する第２部材とを枢着してなり、
前記第１部材は、突状部の一方側に係止する第１係止部と、締着具を挿通させる孔と、外設部材又は外設部材を取り付ける支持材を支持する支持部と、を有し、前記通孔には、締着具と螺合する雌螺子部が形成され、
前記第２部材は、突状部の他方側に係止する第２係止部と、締着具の下端が当接する当接受部と、を有し、
前記第１部材と前記第２部材とを枢着した状態の当該取付部材を外装面の突状部に配設し、前記第１部材の第１係止部を突状部の一方側に沿わせると共に、斜め上方から締着具を締め付けて前記第２部材を回動させ、前記第２部材の第２係止部を突状部の他方側に係止できることを特徴とする取付部材。
【請求項２】
第１部材の通孔は、斜め上方が開放する溝部に雌螺子部としてナットが装着されていることを特徴とする請求項１に記載の取付部材。
【請求項３】
第２部材の当接受部は受け溝状からなることを特徴とする請求項１又は２に記載の取付部材。
【請求項４】
外装面を構成する外装材にて形成される突状部に、請求項１〜３の何れか一項に記載の取付部材を固定し、該取付部材に直接的に外設部材を、或いは支持材を介して間接的に外設部材を取り付けたことを特徴とする外設部材の取付構造。
【請求項５】
外装面を構成する外装材にて形成される突状部に、請求項１〜３の何れか一項に記載の取付部材を固定し、該取付部材に外設部材を取り付ける外設部材の施工法であって、
第１部材と第２部材とを枢着した状態の前記取付部材を外装面の突状部に配設し、第１部材の第１係止部を突状部の一方側に沿わせる第１の工程と、
斜め上方から締着具を締め付けて前記第２部材を回動させ、前記第２部材の第２係止部を突状部の他方側に係止する第２の工程と、
固定した前記取付部材の支持部に、直接的に外設部材を、或いは支持材を介して間接的に外設部材を取り付ける第３の工程と、
を含むことを特徴とする外設部材の施工法。
【発明の詳細な説明】
【技術分野】
【０００１】
本発明は、新設、既設を問わず建築物の屋根等の外装面に施工される多種の縦葺き（縦張り）外装構造に適用でき、ハゼ部等の突状部に容易に取り付けることができ、太陽電池モジュール等の各種外設部材を取り付けることができる取付部材、外設部材の取付構造、及びその施工法に関する。
【背景技術】
【０００２】
近年、社会的情勢及び政治的情勢が相俟って太陽エネルギー変換モジュールへの期待はますます高まっており、既設の構造物や建築物の屋根面への太陽電池パネルの取り付け要請もまた高まっている。
上述の要請に鑑み、縦葺き屋根上に太陽電池を設置する構造として、例えば特許文献１等に示されるような、取付対象の屋根構造におけるハゼ部にボルトナット等の締着具にて持出金具を取り付ける構造が提案されている。
このうち、特許文献１には、逆Ｕ字状に成形した取り付け部材1の下端に延長部26，26を配し、該延長部26，26にて、ハゼ部201wの基端となる起立片201を左右から挟んだ状態で、略水平状に配したボルトナット23にて固定した構成である。
【先行技術文献】
【特許文献】
【０００３】
【特許文献１】特開２０１１−１７１７５号公報
【発明の概要】
【発明が解決しようとする課題】
【０００４】
しかしながら、前記特許文献１のように略水平状に配したボルトナットを締め付けるには、締め付け治具もそれに応じて横方向に用いる必要があり、締め付け作業が困難となるケースもあった。
さらに、これらの構造におけるボルトナットは、ハゼ部の上方に配されるため、最も締め付け応力が作用する部位とハゼ部を係止する部位との間に距離（少なくとも突状部の高さ以上）が生ずるため、締め過ぎが部材の変形を生じ易いものであった。
【０００５】
そこで、本発明は、新設、既設を問わず建築物の屋根等の外装面に施工される多種の縦葺き（縦張り）外装構造に適用でき、ハゼ部等の突状部に容易に取り付けることができ、太陽電池モジュール等の各種外設部材を取り付けることができる取付部材、外設部材の取付構造、及びその施工法を提案することを目的とする。
【課題を解決するための手段】
【０００６】
本発明は、上記に鑑み提案されたものであって、外装面を構成する外装材にて形成される突状部に固定する取付部材であって、凹部又は凸部を有する第１部材と凸部又は凹部を有する第２部材とを枢着してなり、前記第１部材は、突状部の一方側に係止する第１係止部と、外設部材又は外設部材を取り付ける支持材を支持する支持部と、締着具を挿通させる通孔と、を有し、前記通孔には、締着具と螺合する雌螺子部が形成され、前記第２部材は、突状部の他方側に係止する第２係止部と、締着具の下端が当接する当接受部と、を有し、前記第１部材と前記第２部材とを枢着した状態の当該取付部材を外装面の突状部に配設し、前記第１部材の第１係止部を突状部の一方側に沿わせると共に、斜め上方から締着具を締め付けて前記第２部材を回動させ、前記第２部材の第２係止部を突状部の他方側に係止できることを特徴とする取付部材に関するものである。
【０００７】
また、本発明は、前記取付部材において、第１部材の通孔は、斜め上方が開放する溝部に雌螺子部としてナットが装着されていることを特徴とする取付部材をも提案する。
【０００８】
また、本発明は、前記取付部材において、第２部材の当接受部は受け溝状からなることを特徴とする取付部材も提案する。
【０００９】
さらに、本発明は、外装面を構成する外装材にて形成される突状部に、前記構成の取付部材を固定し、該取付部材に直接的に外設部材を、或いは支持材を介して間接的に外設部材を取り付けたことを特徴とする外設部材の取付構造をも提案するものである。
【００１０】
さらに、本発明は、外装面を構成する外装材にて形成される突状部に、前記構成の取付部材を固定し、該取付部材に外設部材を取り付ける外設部材の施工法であって、第１部材と第２部材とを枢着した状態の前記取付部材を外装面の突状部に配設し、第１部材の第１係止部を突状部の一方側に沿わせる第１の工程と、斜め上方から締着具を締め付けて前記第２部材を回動させ、前記第２部材の第２係止部を突状部の他方側に係止する第２の工程と、固定した前記取付部材の支持部に、直接的に外設部材を、或いは支持材を介して間接的に外設部材を取り付ける第３の工程と、を含むことを特徴とする外設部材の施工法をも提案するものである。
【発明の効果】
【００１１】
本発明の取付部材は、凹部又は凸部を有する第１部材と凸部又は凹部を有する第２部材とを枢着し、上方から締着具を締め付けて第２部材を回動させ、第２部材の第２係止部を突状部の他方側に係止できる。
また、締着具の先端と第２係止部とは極めて近いので、最も締め込み応力が作用する部位と突状部を係止する部位との間の距離が短いため、締め込み応力が直接的に係止圧力となり、締め過ぎが生じ難く、部材の変形も生じ難いものである。
したがって、従来の略水平状に配されたボルトナットを締め付ける取付部材などに比べて作業を上方から実施できるため、作業が極めて容易である。
【００１２】
また、第２部材の通孔に締着具と螺合する雌螺子部が形成されている場合には、締着具の締め込み作業が安定に行われるものとなる。さらに、予め第２部材に緩く締着具を嵌め付けて一体状としておくこともできる。
【００１３】
また、支持部には、締着手段をスライド可能に保持する溝部が形成され、締着手段の頭部を収納した状態で締着手段の位置調整を可能とした場合には、支持部に取り付ける太陽電池モジュール等の外設部材、又は該外設部材を支持する支持材を取り付ける際に、適宜に位置調整して取付を実施することができる。
【００１４】
さらに、前記構成の取付部材を用いた外設部材の取付構造は、各種の外設部材を、前記取付部材の支持部又は該支持部に取り付けた支持材に取り付けた構成であり、外装材にて形成される突状部を備える屋根等の外装面に対し、太陽電池モジュール等を簡易な構造にて取り付けることができる。
【００１５】
さらに、前記構成の取付部材を用いた外設部材の取付構造は、取付部材を外装面の突状部に配設して第１係止部を突状部の一方側に沿わせる第１の工程も、上方から締着具を締め付けて第２部材を回動させて第２係止部を突状部の他方側に係止する第２の工程も、固定した取付部材の支持部に、直接的に外設部材を、或いは支持材を介して間接的に外設部材を取り付ける第３の工程も、それぞれに容易に実施できるので、全体的に施工性に優れ、実用的価値が高いものである。
【図面の簡単な説明】
【００１６】
【図１】（ａ）本発明の取付部材の一実施例（第１実施例）を示す断面図、（ｂ）第１部材及び締着具を示す分解断面図、（ｃ）第２部材の断面図、（ｄ）第１部材と第２部材との長さを同じにした取付部材の斜視図である。
【図２】（ａ）第１実施例の取付部材を外装面の突状部に取り付けた取付構造を示す断面図、（ｂ）その施工手順において第２部材を回動する状態を示す断面図、（ｃ）その施工手順において締着具を締め込んで第２部材を回動する状態を示す断面図、（ｄ）第１実施例の取付部材を他の外装面の突状部に取り付けた取付構造を示す断面図、（ｅ）その施工手順において締着具を締め込んで第２部材を回動する状態を示す断面図である。
【図３】（ａ）第１実施例の取付部材を用いた太陽電池モジュールの取付構造の一実施例を示す断面図、（ｂ）その側断面図である。
【図４】（ａ）本発明の取付部材の他の一実施例（第２実施例）を示す断面図、（ｂ）第１部材と第２部材との長さを同じにした取付部材の斜視図、（ｃ）第２実施例の取付部材を屋根面の一態様に取り付けた状態を示す断面図、（ｄ）第２実施例の取付部材を他の屋根面に取り付けた状態を示す断面図、（ｅ）第２実施例の取付部材を他の屋根面に取り付けた状態を示す断面図、（ｆ）第２実施例の取付部材を他の屋根面に取り付けた状態を示す断面図である。
【図５】（ａ）第２実施例の取付部材を用いた太陽電池モジュールの取付構造の一実施例を示す断面図、（ｂ）その側断面図である。
【発明を実施するための形態】
【００１７】
本発明の取付部材は、外装面を構成する外装材にて形成される突状部に固定する部材であって、凹部又は凸部を有する第１部材と凸部又は凹部を有する第２部材とを枢着して、即ち凸部と凹部で回動自在に一体化してなる。
そして、前記第１部材は、突状部の一方側に係止する第１係止部と、外設部材又は外設部材を取り付ける支持材を支持する支持部と、締着具を挿通させる通孔と、を有する構成であり、前記第２部材は、突状部の他方側に係止する第２係止部と、締着具の下端が当接する当接受部と、を有する構成である。
【００１８】
前記第１部材は、外装面に形成される突状部の一方側に配する部材であって、特に限定するものではないが、取付時に回動させる第２部材に対し、この第１部材は突状部の一方側に固定（不動）するものであり、第２部材の回動の支点（軸）である凹部を有する。
この第１部材の凹部又は凸部は、第２部材の凸部又は凹部と枢着（凸部と凹部で回動自在に一体化）されるものであれば、特にその具体的な形状を限定するものではない。
【００１９】
また、この第１部材の第１係止部は、突状部の一方側に係止するものであれば特にその形状等を限定するものではなく、例えば突状部の基端（起立部）の側面に沿うものでも、突状部の側面（但し係止される受け形状を備える）に沿うものでもよい。
さらに、この第１部材の支持部は、外設部材又は外設部材を取り付ける支持材を支持するものであればよく、溝がない略平坦状であっても、外設部材を取り付けるために溝部等を設けたものでもよい。この支持部には、後述する図示実施例のように締着手段をスライド可能に保持する溝部を形成してもよい。この締着手段としては、ボルトに限定されず、ナットでもよく、この場合、締着手段の頭部を収納した状態で締着手段の位置調整が可能となる。
また、この第１部材の通孔は、締着具を挿通させるものであって、締着具を締め込む際に容易に取り付けることができ、安定な締め込み作業を果たすことができる。この通孔には、後述する図示実施例のように締着具と螺合する雌螺子部を形成してもよく、この雌螺子部としては、通孔内面に螺子溝を刻設したタップでもよいし、部材に一体化させたナットでもよく、この場合には、締着具の締め込み作業がより安定に行われ、予め（＝取付に先立って）第１部材に緩く締着具を嵌め付けて一体状としておくこともできる。
さらに、この第１部材には、後述する図示実施例のように外装面に接地する定着面を備えることが望ましい。
【００２０】
前記第２部材は、外装面に形成される突状部の他方側に配する部材であって、特に限定するものではないが、取付時に回動させるものであり、回動の支点（軸）である凸部又は凹部を有する。
この第２部材の凸部又は凹部は、第１部材の凹部又は凸部と枢着（凸部と凹部で回動自在に一体化）されるものであれば、特にその具体的な形状を限定するものではない。
【００２１】
また、この第２部材の第２係止部は、前記第１部材の第１係止部と同様であって、突状部の他方側に係止するものであれば特にその形状等を限定するものではなく、例えば突状部の基端（起立部）の側面に沿うものでも、突状部の側面（但し係止される受け形状を備える）に沿うものでもよい。
また、この第２部材の当接受部は、締着具の下端が当接するものであって、当該当接受部にて受けた締着具の締め込み応力がこの第２部材を回動させ、前記第２係止部を突状部の他面側に係止させる。
【００２２】
そして、前記第１部材と前記第２部材とを枢着した状態の取付部材を外装面の突状部に配設し、第１部材の第１係止部を突状部の一方側に沿わせると共に、上方から締着具を締め付けて第２部材を回動させ、第２部材の第２係止部を突状部の他方側に係止することができる。
即ちこの取付部材の施工法は、第１部材と第２部材とを枢着した状態の取付部材を外装面の突状部に配設し、第１部材の第１係止部を突状部の一方側に沿わせる第１の工程と、上方から締着具を締め付けて第２部材を回動させ、第２部材の第２係止部を突状部の他方側に係止する第２の工程とからなる。
【００２３】
なお、前記第１部材と第２部材との枢着を安定させる目的で、凹部に凸部を嵌め付けた後に凹部の端縁を潰す（凹部の内径を凸部の外径より小さくする）ように加工することにより、凸部の脱離を防止することができる。
また、第１部材と第２部材との長さ（流れ方向の長さ寸法）は、第１部材より第２部材を短くすることが多いが、特に限定するものではなく、適宜に設定することができる。そして、第２部材の長さに応じて締着具の本数を適宜に設定すればよく、例えばピース状の第２部材では、締着具は１箇所（ボルト材では１本）でもよいが、比較的長尺な第２部材の場合には、所定間隔を隔てて締着具を複数箇所用いて締め込み圧力を増強してもよい。
【００２４】
前記屋根面は、外装面を構成する外装材にて形成されるものであって、後述する図示実施例に示すように外装材の側縁を略垂直状に立ち上げてカシメて形成したものでも、その外側にキャップ状のカバー材を配したものでも、一方の側縁に他方の側縁を重合させて形成したものでもよく、特にその構成を限定するものではない。
【００２５】
また、本発明は、前記構成の取付部材を用いた外設部材の取付構造をも提案するものであり、外装面を構成する突状部に、前記構成の取付部材を固定し、該取付部材に直接的に外設部材を、或いは支持材を介して間接的に外設部材を取り付けたものである。
【００２６】
前記外設部材としては、太陽電池パネルや緑化パネル（構造）、或いは新設の屋根材（構造）等の屋根面の大きな面積を占めるものであっても、雪止め金具や避雷針、アンテナ等の部分的に設けるものであってもよい。また、太陽電池パネルにおいても、太陽電池モジュールの周縁にフレーム材を配したものも、太陽電池を外装材に一体的に設けたものであってもよくその構成は特に問わない。
【００２７】
外設部材を支持する支持材としては、前記第１部材の支持部に直接的に取り付けてもよいし、所用な補助部材を介して間接的に取り付けてもよい。
この支持材は、特にその形状や構成等を限定するものではないが、後述する図示実施例のように桁行き方向に連続する逆Ｕ字状の長尺材（横桟材）又は定尺材でもよいし、流れ方向に連続する長尺材（縦桟材）又は定尺材でもよい。
【００２８】
また、本発明の外設部材の取付施工方法は、以下に説明する第１〜第３の工程を含む。
第１の工程及び第２の工程については前述の取付部材の施工法と全く同様である。即ち第１の工程は、第１部材と第２部材とを枢着した状態の取付部材を外装面の突状部に配設し、第１部材の第１係止部を突状部の一方側に沿わせる工程であり、第２の工程は、上方から締着具を締め付けて第２部材を回動させ、第２部材の第２係止部を突状部の他方側に係止する工程である。
第３の工程は、固定した取付部材の支持部に、直接的に外設部材を、或いは支持材を介して間接的に外設部材を取り付ける工程である。
【００２９】
第３の工程は、外装面の突状部に固定された取付部材の支持部に、外設部材を直接的、又は間接的に取り付けるものである。
取付部材の支持部は、前述のように略平坦状でもよいし、締着手段をスライド可能に保持する溝部を形成したものでもよいので、例えば前者の場合には、外設部材を上方から押さえる押さえ具を配した状態で上方からビス等の固定具を支持部に打ち込んで取り付けてもよい。例えば後者の場合には、溝部に締着手段として上向きボルトの頭部を保持させ、該上向きボルトを前記構成の押さえ具に挿通させた状態でナット等を締め付けて固定してもよい。
【００３０】
このように第１〜第３の各工程は、何れも容易に実施できるものであって、全体的に施工性に優れ、実用的価値が高い。
なお、本発明の取付部材を設置する屋根面は、前述のように外装材にて形成される突状部を備えるものであればよく、新築でも既設でもよい。
【実施例】
【００３１】
図１（ａ）に示す本発明の取付部材１の第１実施例は、凹部２１を有する第１部材２と凸部３１を有する第２部材３とを枢着してなり、前記第１部材２は、図２に示すように外装面４に形成される突状部４０の一方側（図面左側）に配され、前記第２部材３は、突状部４０の他方側（図面右側）に配されるものである。
なお、前記第１部材２と第２部材３とは、図３（ｂ）に示すように第１部材２より第２部材３の方が短い態様が多いが、特に限定するものではなく、例えば図１（ｄ）では両部材２，３を同じ長さとした（＝取付部材１'）が、第２部材３が長くてもよい。
【００３２】
前記第１部材２は、取付時に回動させる第２部材３に対し、突状部４０の一方側に固定（不動）するものであり、第２部材３の回動の支点（軸）である凹部２１を有し、突状部４０の一方側に係止する第１係止部２２と、太陽電池モジュール等を支持する支持部２３と、ボルト材である締着具２ｘを挿通させる通孔２４と、を有する構成である。
図示実施例の第１部材２は、図１（ｂ）に示すように下端が屋根面４に接地する接地面２５である縦片２Ａの上方へ延在する首状部２Ｂを介して上面が支持部２３である頭状部２Ｃを備え、前記首状部２Ｂの右側には、下方へ向かう傾斜部２Ｄが形成される成形体であって、突状部４０の一方側を包囲状に覆うように配される。
そして、前記縦片２Ａの下端に内側へ突出する第１係止部２２が設けられている。
また、前記頭状部２Ｃの頂部に設けられる支持部２３の略中央には、上方が開放する溝部２３１が設けられている。
前記傾斜部２Ｄの基端には、断面が略円弧状の凹部２１が形成されている。この凹部２１は、内径が、後述する第２部材３の凸部３１の外径より僅かに大きく、且つ下方が開放する形状としたが、その開放幅は、凸部３１の外径よりも小さく形成している。そのため、凹部２１に凸部３１を嵌め付けた状態では、脱落することが無く、回転自在に枢着される。
前記傾斜部２Ｄの略中央には、斜め上方が開放する溝部２６が設けられ、その底部には通孔２４が形成されている。この溝部２６には、雌螺子部としてナット２ｙが装着されている。
【００３３】
前記第２部材３は、突状部４０の他方側に配する部材であって、取付時に回動させるものであり、回動の支点（軸）である凸部３１を有し、突状部４０の他方側に係止する第２係止部３２と、締着具２ｘの下端が当接する当接受部３３と、を有する構成である。
図示実施例の第２部材３は、図１（ｃ）に示すように略イ状の成形体であって、その上端に設けられる凸部３１は、断面略円形状であり、その下端に設けられる第２係止部３２は、内側へ突出する突出片状であり、その下面が屋根面４に接地する接地面３４である。また、その高さの中程に設けられる当接受部３３は、受け溝状であって、締着具２ｘの下端を位置規制する規制部３３１が形成されている。
【００３４】
なお、図１（ａ）に示す取付部材１には、ボルト材である締着具２ｘを溝部２６の外側に配設したナット２ｚを貫通させて溝部２６内に装着したナット２ｙに取り付けたが、このナット２ｚは、ボルトの緩み止めの作用を果たす。即ち地震等に起因する外力が作用した場合にも締め込んだ締着具２ｘが緩むことにより突状部４０から脱離するような事故を防止することができる。
【００３５】
そして、前記第１部材２（の凹部２１）と前記第２部材３（の凸部３１）とを枢着した状態の取付部材１を、図２に示すように外装面４の突状部４０に配設し、第１部材２の第１係止部２１を突状部４０の一方側（図面左側）に沿わせると共に、上方から締着具２ｘを締め付けて第２部材３を回動させ、第２部材３の第２係止部３１を突状部４０の他方側（図面右側）に係止することができる。
詳しくは、第１の工程として、図２（ｃ），（ｅ）に示すように第１部材２と第２部材３とを枢着した状態の取付部材１を外装面４，４IIの突状部４０，４iiに臨ませる。
この状態で第２の工程として、上方から各種治具を用いて締着具２ｘを締め付ける（締め込む）と、図示するように締着具２ｘの先端が当接受部３３を押圧するため、第２部材３が軸２１，３１に対して次第に回動する。
その結果、図２（ａ），（ｄ）に示すように第２部材３の第２係止部３２が突状部４０の他方側に係止する。
【００３６】
なお、図２では、突状部４０，４０iiの構成が異なる２種の外装面４，４IIに前記構成の取付部材１を取り付けた例を示したが、図２（ａ），（ｃ）における突状部４０は、左右の外装材４Ａ，４Ａの側縁を略垂直状に立ち上げ、該立ち上げ部分の上端をカシメて形成したものである。この外装面４では、外装材４Ａ，４Ａの平坦状の面板部が前記取付部材１の接地面２５，３４を受支する受部である。したがって、前記第２の工程において、締着具２ｘを締め込んだ際に、図２（ｂ）に示するように、第２部材３は、接地面３４が外装材４Ａの面板部上を滑るように回動する。
【００３７】
また、図２（ｄ），（ｅ）における突状部４０iiは、左右の外装材４Ｂ，４Ｂの側縁を略垂直状に立ち上げ、該立ち上げ部分を吊子４Ｃにて保持すると共に、その外側に、下端（弾性嵌合部）を略く字状に成形したキャップ状のカバー材４Ｄを取り付けて形成したものである。この外装面４IIでは、外装材４Ｂ，４Ｂの面板部に設けた隆状台部４１，４１が前記取付部材１の接地面２５，３４を受支する受部である。したがって、前記第２の工程において、締着具２ｘを締め込んだ際には、図示しないが、第２部材３は、接地面３４が外装材４Ａの隆状台部４１上を滑るように回動し、取付部材１の第１係止部２２及び第２係止部３２は突状部４０iiの前記弾性嵌合部に係止する。
【００３８】
このように、本発明の取付部材１では、上方から締着具２ｘを締め込むことにより、当接受部３３が押圧応力を受けて第２部材３が回動し、第２係止部３２が突状部４０の他方側に係止するものである。
これに対し、図２（ｆ）に示すような従来の取付部材９では、略水平状に配されたボルトナット９１，９２を締め付けて左右の各部材９ａ，９ｂの下端に形成した係止部９３，９４を突状部４０'に係止するものである。
したがって、従来の取付部材９では、ボルトナット９１，９２が、突状部４０'の上方に配されるのに対し、本発明の取付部材１では、締着具２ｘが突状部４０，４Ａ'の高さに関係なく配されるという相違がある。そのため、従来では、最も締め付け応力が作用する部位（＝ボルト９１の頭部やナット９２が当接する部分）と突状部４'を係止する部位（＝係止部９３，９４）との間に距離（少なくとも突状部４'の高さ以上）が生じ、本発明では、そのような制限がないため、図示するように突状部４，４'の高さに満たない近接しているため、応力の伝搬が直接的であり、また締め過ぎが部材の変形を生じ難いという効果を生ずる。
【００３９】
図３は、前記構成の取付部材１を、太陽電池モジュール５の取付構造に用いた実施例であって、前記取付部材１の支持部２３に、太陽電池モジュール５を直接的に固定し、支持部２３に設けた溝部２３１に取り付けられた締着手段（ボルト１ａ，ナット１ｂ）にて押さえ材６を固定した構成である。
図示実施例の太陽電池モジュール５は、太陽電池５０の周縁に所定形状のフレーム（枠）５ｂ，５ｃを一体的に固定したパネル状であって、該太陽電池モジュール５，５の流れ方向の側縁を、断面形状が逆ハット状の押さえ材６にて押さえる構成である。
この実施例における押さえ材６は、前述のように断面逆ハット状のピース材であり、前記ボルト１ａの取付孔を有する底状部６２の両側縁を立ち上げ、その上端を外方へ延在させて押さえ部６１，６１とした構成である。
前記取付部材１の支持部２３に設けられた溝部２３１に、締着手段としてボルト１ａをスライド可能に保持させ、該ボルト１ａにナット１ｂ，１ｃを取り付けて位置調整すると共に押さえ材６を任意（所定）の位置に締着することができる。
【００４０】
このような構成を有する太陽電池モジュール５の取付構造は、前記取付部材１の支持部２３に太陽電池モジュール５を取り付けた構成であり、突状部４０を備える外装面４に対し、太陽電池モジュール５を簡易な構造にて取り付けることができる。
特に図示実施例では、支持部２３に、締着手段１ａをスライド可能に保持する溝部２３１が形成され、締着手段１ａの頭部を収納した状態で位置調整を可能としたので、支持部２３に取り付ける太陽電池モジュール５を取り付ける際に、適宜に位置調整して取付を容易に実施することができる。
【００４１】
図４（ａ）に示す第２実施例の取付部材１IIは、前記第１実施例の取付部材１における第１部材２の首状部４ｂがない第１部材２IIを用いた以外は、ほとんど同様であって、図面に同一符号を付して説明を省略する。
なお、図４（ｂ）では、両部材２II，３を同じ長さとした（＝取付部材１II'）が、前述のように前記第１部材２IIと第２部材３とは、図５（ｂ）に示すように第１部材２IIより第２部材３の方が短い態様が多いが、特に限定するものではなく、第２部材３が長くてもよい。
【００４２】
図４（ｃ）〜（ｆ）には、突状部４０，４０ii，４０iii，４０ivの構成が異なる２種の外装面４，４II，４III，４IVに前記構成の取付部材１IIを取り付けた例を示した。ここで、図４（ｃ）に示す外装面４及び突状部４０は、前述の図２（ａ），（ｃ）における外装面４及び突状部４０と全く同様であり、図４（ｄ）に示す外装面４II及び突状部４０iiは、前述の図２（ｄ），（ｅ）における外装面４II及び突状部４０iiと全く同様であるから説明を省略する。
【００４３】
図４（ｅ）における突状部４０iiiは、縦長状であって、左右の外装材４Ｅ，４Ｅの側縁を略垂直状に立ち上げ、該立ち上げ部分を吊子４Ｆにて保持すると共にその外側に、下端（弾性嵌合部）を略円弧状に成形したキャップ状のカバー材４Ｇを取り付けて形成したものである。
【００４４】
図４（ｆ）左右の外装材４Ｈ，４Ｈの側縁を略傾斜状に立ち上げ、該立ち上げ部分に設けた略く字状の被保持部分を吊子４Ｉに弾性的に保持させると共に、一方の側縁（＝図では左側に配した外装材４Ｈの側縁）を他方の側縁（＝図では右側に配した外装材４Ｈの側縁）に重合させて弾性的に嵌合させて形成したものである。この外装面４IVでは、外装材４Ｈ，４Ｈの面板部に設けた第２立ち上がり部４２，４２の頂部が前記取付部材１IIの接地面２５，３４を受支する受部である。また、取付部材１IIの第１係止部２２及び第２係止部３２は、突状部４０ivの前記被保持部分に係止する。
【００４５】
図５は、前記構成の取付部材１IIの支持部２３に、横桟７Ａを介して太陽電池モジュール５を間接的に固定した取付構造の実施例であって、この太陽電池モジュール５は、前記図３における太陽電池モジュール５と全く同様であって、図面に同一符号を付して説明を省略する。
この実施例における横桟７Ａは、図５（ｂ）に示すように略中央に最も高い塔状部７１を、その流れ方向の前後に次に高い台状の支持受部７２，７２を、その更に流れ方向の前後に、最も低い略Ｊ字状の固定受部７３，７３を有する構成であり、前記塔状部７１の頂部には、上方が開放する溝部７１１が設けられている。
そして、各固定受部７３には、それぞれ固定板７ｂが被覆するように配設され、該固定板７ｂは前記取付部材１IIの溝部２３１に取り付けられた締着手段（ボルト１ｄ，ナット１ｅ）にて固定されるので、この横桟７Ａは前記取付部材１IIの支持部２３に取り付けられるものとなる。
また、この横桟７Ａの溝部７１１には、締着手段としてボルト７ｃがスライド可能に保持させ、該ボルト７ｃに取り付けてスライド可能であって、該ボルト７ｃを挿通させた押さえ材６'を任意（所定）の位置に調整してナット７ｄを締着して固定できる。
なお、この実施例における押さえ材６'は、底状部６２の両側縁の立ち上げ高さが前記図３などの実施例における押さえ材６と比べて低いが、同様に押さえ部６１，６１にて太陽電池モジュール５の流れ方向の側縁を押さえる構成である。
【符号の説明】
【００４６】
１，１'，１II，１II'  取付部材
２，２II  第１部材
２Ａ  縦片
２Ｂ  首状部
２Ｃ  頭状部
２Ｄ  傾斜部
２ｘ  締着具（ボルト材）
２ｙ  ナット
２１  凹部
２２  第１係止部
２３  支持部
２３１  溝部
２４  通孔
２５  接地面
２６  溝部
３  第２部材
３１  凸部
３２  第２係止部
３３  当接受部
３３１  規制部
３４  接地面
４，４II，４III，４IV  外装面（屋根面）
４０，４０ii，４０iii，４０iv  突状部
５  太陽電池モジュール
５０  太陽電池
５１ａ，５１ｂ  （端縁）フレーム
６，６'  押さえ材
６１  底状部
６２  立ち上げ部
６３  押さえ部
７Ａ  横桟
７ｂ  固定板
７１  塔状部
７２  支持受部
７３  固定受部
９  従来の取付部材
【図１】
0005777006.tif 000002
【図２】
0005777006.tif 000003
【図３】
0005777006.tif 000004
【図４】
0005777006.tif 000005
【図５】
0005777006.tif 000006